(57)【特許請求の範囲】
【請求項１】
情報信号を記録するディスクである回転駆動体（１）を収容するケース本体（２）と、ケース本体（２）に開口した信号読み書き窓（３）を開閉するシャッター（４）とを備えている回転駆動体を収容するケースであって、
信号読み書き窓（３）の一対の側縁のうち、回転駆動体（１）の回転に伴って生じる流動空気の流動方向と対向する側の側縁（３ａ）に連続して排気口（１０）が切り欠き形成されており、
不使用状態において排気口（１０）を塞ぐ蓋部（１１）がシャッター（４）と一体に設けられており、
回転駆動体（１）の回転平面と対向するケース本体（２）の内面上下に、流動空気を信号読み書き窓（３）を介して排気口（１０）へと流動案内する一対のガイドリブ（１５・１６）が突設されており、
一方のガイドリブ（１５）は、回転駆動体（１）の外縁より内側に配置してあって、リブ端を信号読み書き窓（３）のケース中央寄りの内隅部に連続させており、
他方のガイドリブ（１６）は、回転駆動体（１）の外縁より外側に配置してあって、リブ端を信号読み書き窓（３）の閉じ端側の側縁の外隅近傍に連続させており、
シャッター（４）を開放した状態において、シャッター（４）の主面壁（４ａ）で排気口（１０）の外面を覆って、流動空気を主面壁（４ａ）と主面壁（４ａ）を案内するガイド面壁（７ａ）との間の隙間（Ｅ）を介して逃がすことを特徴とする回転駆動体を収容するケース。
【請求項２】
ケース本体（２）の内面上下に設けられた両ガイドリブ（１５・１６）の間に、回転駆動体（１）の回転に伴って生じる流動空気を信号読み書き窓（３）を介して排気口（１０）へと流動案内するためのガイド面（１７）が凹み形成されており、
ガイド面（１７）が、ガイドリブ（１５・１６）の延出端側から信号読み書き窓（３）の側へ向かって凹み深さが漸増する傾斜面に形成してある請求項１記載の回転駆動体を収容するケース。
【発明の詳細な説明】
【０００１】
【発明の属する技術分野】
この発明は、例えば光磁気ディスクなどの回転駆動体を収容するケースに関する。
【０００２】
【従来の技術】
この種のケースは、例えば、ディスクと呼ばれる回転駆動体を収容する四角形の薄いケース本体と  ケース本体に設けた窓（例えば信号読み書き窓）をスライド開閉するシャッターとを備えている。不使用状態において、シャッターはケース本体の内部に設けたロック爪でロック保持されて、信号読み書き窓を閉じている。信号読み書き窓と共に、ケース本体の下面中央に開口する駆動穴を、シャッターで同時に閉じる形態のものもある。
【０００３】
【発明が解決しようとする課題】
光磁気ディスクを信号記録媒体とするもののひとつにミニディスクがあるが、これをさらにひと回り小さくし、さらに信号記録容量を向上することを狙った次世代の記録媒体が提案されている。ディスクドライブ、とくにポータブル型のディスクドライブの小型化や軽量化の要求に応えるためである。そこでは、ディスクの直径寸法が小さい分だけ周速度が低下する。そのため、より高速度でディスクを回転して信号の読み書きを行うことが想定される。また、コンピュータデータの読み込み時には、通常の回転速度の１０〜２０倍前後の高速度でディスクを駆動することもある。このように、ディスクの回転速度が高速化するのに伴って、それまで殆ど無視できた空気抵抗が問題になって来る。
【０００４】
ディスクを高速度で回転駆動すると、その表面で引き擦られた空気が渦を形成し、ケース本体内を流動する。この流動空気や渦はディスクの回転を阻害する要因のひとつとなる。そのため、ディスクドライブ側では先の流動空気や渦による空気抵抗に打ち勝ってディスクを高速回転させる必要があり、その分だけディスクドライブの電力消費量が増す。とくに、電池を電源とするポータブル型のディスクドライブや、ノート型のパーソナルコンピュータに組み込まれたディスクドライブなど、連続使用時間が重要な商品仕様となる機器においては、電力消費量の多さが問題視される。
【０００５】
この発明の目的は、回転駆動体の駆動時の空気抵抗を減少させて、その分だけ駆動用ドライブの電力消費を抑止して、連続使用時間を延ばすことができる、回転駆動体を収容するケースを提供することにある。
この発明の他の目的は、ケース構造を一部変更するだけで、回転駆動体の駆動時の空気抵抗を減少でき、従って、新たな部品の追加などのコスト増を伴うこともなく、回転駆動体の駆動時の空気抵抗を効果的に減少でき、とくに高速度で回転駆動される回転駆動体に好適なケースを提供することにある。
【０００６】
【課題を解決するための手段】
この発明に係るケースは、回転駆動体（例えば情報信号を記録するディスク）１を収容するケース本体２と、ケース本体２に開口した信号読み書き窓３を開閉するシャッター４とを備えている。信号読み書き窓３の一対の側縁のうち、回転駆動体１の回転に伴って生じる流動空気の流動方向と対向する側の側縁３ａに連続して排気口１０を切り欠き形成する。不使用状態において排気口１０を塞ぐ蓋部１１をシャッター４と一体に設ける。回転駆動体１の回転平面と対向するケース本体２の内面上下に、流動空気を信号読み書き窓３を介して排気口１０へと流動案内する一対のガイドリブ１５・１６を突設する。一方のガイドリブ１５は、回転駆動体１の外縁より内側に配置してあって、リブ端を信号読み書き窓３のケース中央寄りの内隅部に連続させる。他方のガイドリブ１６は、回転駆動体１の外縁より外側に配置してあって、リブ端を信号読み書き窓３の閉じ端側の側縁の外隅近傍に連続させる。シャッター４を開放した状態において、シャッター４の主面壁４ａで排気口１０の外面を覆って、流動空気を主面壁４ａと主面壁４ａを案内するガイド面壁７ａとの間の隙間Ｅを介して逃がす。
【０００７】
ケース本体２の内面上下に設けられた両ガイドリブ１５・１６の間に、回転駆動体１の回転に伴って生じる流動空気を信号読み書き窓３を介して排気口１０へと流動案内するためのガイド面１７を凹み形成する。ガイド面１７を、ガイドリブ１５・１６の延出端側から信号読み書き窓３の側へ向かって凹み深さが漸増する傾斜面に形成する。
【０００９】
【作用】
使用時の回転駆動体１は、図１に示す矢印の向きに回転駆動される。回転する回転駆動体１によって生起された流動空気の一部は、窓３からケース外へ流出するが、その大半は運動慣性力によって窓３を横断し、再びケース内へ入り込もうとする。しかし、窓３の開放端側の側縁３ａに排気口１０を設け、その外面が開放されたシャッター４の主面壁４ａで覆うので、窓３を横断して排気口１０に達した流動空気は主面壁４ａに沿って移動し、主面壁４ａとガイド面壁１７との間の隙間Ｅを通り抜けてケース外へ放出される。このように、排気口１０と隙間Ｅとを介して流動空気をケース外へ排出すると、その分だけ回転駆動体１の回転時の空気抵抗を減少しディスク駆動に要する消費動力、すなわち消費電力量を減少できる。流動空気の流動方向と対向する側の側縁３ａに排気口１０を設けるので、窓３を横断した流動空気を排気口１０の周縁壁でせき止めて、効果的に隙間Ｅへと流動案内できる。
【００１０】
ケース本体２の内面上下に設けたガイドリブ１５・１６は、ケース内面壁に沿って流れる流動空気を整流し収束させて、窓３へと指向案内する。これにより、回転駆動体１と共に旋回する流動空気の殆どを窓３を介して排気口１０へと流動案内でき、流動空気をより効果的に排出できる。
【００１１】
ケース本体２の内面上下にガイド面１７を凹み形成すると、ケース内面に沿って流れてきた流動空気は、窓３の側へ向って傾斜案内し、その流動方向を排気口１０の外面に位置する主面壁４ａへと指向させることができる。これにより、窓３を横断した流動空気がケース内へ再進入するのを阻止でき、強制的に流動空気を主面壁４ａに沿って流動させて隙間Ｅから放出できる。
【００１２】
【実施例】
図１ないし図３は、この発明にかかるケースをディスクカートリッジに適用した実施例を示す。図２において、ディスクカートリッジは情報信号を記録する円盤状のディスク（回転駆動体。この例では、光磁気ディスクである。）１と、ディスク１を回転自在な状態で収容するケース本体２とからなる。ディスク１はディスク本体の片面ないし両面に情報信号を記録でき、ディスク本体の下面中央に回転駆動用のハブが固定してある。
【００１３】
ケース本体２は、それぞれプラスチック成形された上ケース２ａと下ケース２ｂとを接合した、平面視が四角形のケースからなり、上下面の一側寄りに信号読み書き窓（本発明でいうところの窓）３が開口してある。この窓３はシャッター４でスライド開閉できる。シャッター４は閉じ位置においてロック爪５でロック保持され、捻じりコイル形のばね６で閉じ勝手に移動付勢してある。ケース本体２の上下面には、シャッター４の開閉領域に対応して、浅いスライド凹部７が凹み形成してある。
【００１４】
上記のように構成したディスクカートリッジは、ケース本体２を図２の矢印で示す向きにディスクドライブへ装填すると、ロック爪５がロック解除操作され、シャッター４がばね６の付勢力に抗してスライド開放される。ディスク１は、ケース本体２の下面中央の駆動穴から進入する駆動軸でハブを介して保持固定され、図１において矢印で示す向きへ回転駆動される。このとき、ディスク１の回転駆動に伴って生じる流動空気を効果的にケース外へ逃がし、これによりディスク駆動時の空気抵抗を減少するために、排気口１０とこれを開閉する蓋部１１とを付加する。
【００１５】
図１において排気口１０は、信号読み書き窓３の一対の側縁のうち、開放端側の側縁３ａに連続して切り欠き形成する。つまり、流動空気の流動方向と対向する側の側縁３ａに排気口１０を形成する。また、蓋部１１はシャッター４の主面壁４ａと一体に形成して、図２に示すように信号読み書き窓３をシャッター４で閉じた状態において、排気口１０を蓋部１１で閉止できるようにした。上下の主面壁４ａは、スライド凹部７に沿って開閉するが、開閉動作を円滑化するために、両主面壁４ａの対向間隔Ｂをスライド凹部７のガイド面壁７ａの上下間隔ｂより僅かに大きく設定する（図３参照）。従って、主面壁４ａとガイド面壁７ａとの間には隙間Ｅが形成される。
【００１６】
図１においてシャッター４は、信号読み書き窓３を全開放し、その主面壁４ａが排気口１０の外面を覆う位置までスライド操作される。このとき、蓋部１１はスライド凹部７からはみ出る。そのため、スライド凹部７の開放端側の周縁壁に、スライド凹部７と面一状の逃げ凹部１２を設けてあり、蓋部１１の突端側は逃げ凹部１２内に収まる。
【００１７】
ケース本体２の内面壁に沿って流れる流動空気を、信号読み書き窓３を介して排気口１０へと流動案内するために、ディスク１の回転平面と対向するケース本体２の内面上下、つまり上下ケース２ａ・２ｂの上壁および底壁の内面のそれぞれに、一対のガイドリブ１５・１６を設け、両リブ１５・１６間にガイド面１７を凹み形成する。図１に示すように、一対のガイドリブ１５・１６は信号読み書き窓３の側からディスク１の回転方向上手側へ延びる部分円弧状のリブからなる。一方のガイドリブ１５はディスク１の外縁より内側に配置し、リブ端を信号読み書き窓３のケース中央寄りの内隅部に連続させる。他方のガイドリブ１６は、ディスク１の外縁より外側に配置し、リブ端を信号読み書き窓３の閉じ端側の側縁の外隅近傍に連続させる。ガイド面１７は、先のガイドリブ１５・１６の延出端側から、信号読み書き窓３の側へ向って凹み深さが漸増する傾斜面に形成する（図３参照）。
【００１８】
以上のように信号読み書き窓３に排気口１０を設け、シャッター４を開放した状態において、その主面壁４ａで排気口１０の外面を覆うと、ディスク１の回転駆動に伴って生じる流動空気は、信号読み書き窓３を介して排気口１０へ移動し、主面壁４ａに案内されながら主面壁４ａとスライド凹部７のガイド面壁７ａとの間の隙間Ｅへ入り込み、隙間Ｅを通り抜けてケース外へ放出される。
【００１９】
また、信号読み書き窓３を基準にして、一対のガイドリブ１５・１６とガイド面１７とをディスク１の回転方向上手側へ向って延出形成してあるので、ディスク１と共に旋回する流動空気を内外一対のガイドリブ１５・１６で整流し収束させて、信号読み書き窓３へ向って指向案内できる。同時に、ケース内面に沿って流れてきた流動空気をガイド面１７で信号読み書き窓３の側へ向って傾斜案内し、その流動方向をシャッター４の主面壁４ａへ指向させることができる。従って、信号読み書き窓３を横断した流動空気はケース内へ再進入することもなく、主面壁４ａに沿って強制的に流動し、隙間Ｅを介して確実にケース外へ放出できる。
【００２０】
上記の実施例以外に、排気口１０は凹弧状の切り欠きとして、あるいは鋸刃状の切り欠きとして形成することができる。ガイドリブ１５・１６のうち、内側のガイドリブ１５は省略することができる。逆に、３個以上のガイドリブをケース内面に突設することができる。
【００２１】
【発明の効果】
この発明では、窓３に排気口１０を切り欠き形成し、シャッター４を開放した状態において、排気口１０の外面をシャッター４の主面壁４ａで覆って、ディスク１と共に旋回する流動空気を、排気口１０から主面壁４ａとスライド凹部７のガイド面壁７ａとの隙間Ｅを介してケース外へ逃がし、回転駆動体１の駆動時の空気抵抗を減少できるようにした。従って、回転駆動体１の駆動時の空気抵抗を減少した分だけ、ディスクドライブなどの駆動用ドライブの電力消費を抑制し、その連続使用時間を向上できる。
【００２２】
排気口１０を窓３に連続して形成し、さらに蓋部１１をシャッター４と一体に形成するので、ケース本体２とシャッター４の構造および形状を一部変更するだけで、回転駆動体１の駆動時の空気抵抗を減少できる。従って、新たな機能が付加されたケースでありながら、その製造コストを抑止できる。
【図面の簡単な説明】
【図１】シャッターを開いた状態のケースの一部破断平面図である。
【図２】ケースの平面図である。
【図３】図１におけるＡ−Ａ線断面図である。
【符号の説明】
１  回転駆動体（ディスク）
２ ケース本体
３ 窓（信号読み書き窓）
４ シャッター
４ａ 主面壁
１０ 排気口
１１ 蓋部
１５ ガイドリブ
１６ ガイドリブ
１７ ガイド面
Ｅ 隙間
【図１】
0004002021.tif 000002
【図２】
0004002021.tif 000003
【図３】
0004002021.tif 000004